(57)【特許請求の範囲】
【請求項１】
外周面に複数の図柄が配置された回転リールと、
前記回転リールを回転自在に支持するフレームと、
前記フレームに固定されるとともに前記回転リールを回転駆動するモータと
を備えたリールユニットが取り付けられた遊技機であって、
前記リールユニットは、
前記回転リールの外周面より内側で前記フレームに固定される光源と、
前記光源からの光を前記回転リールの前方に誘導する導光部材と、
前記導光部材の前面に設けられるとともに前記光源からの光を後方へ反射する反射部材とを備え、
前記光源による前記回転リールの外周面より内側からの光が前記導光部材を介して前記回転リールの前方に誘導されるとともにこの誘導された光が前記反射部材により後方へ反射されて前記回転リールの前面に照射されることを特徴とする遊技機。
【請求項２】
前記導光部材における前記反射部材の後側には前記導光部材の実質的な厚みが前面側に向かうに従って変化する傾斜面が設けられ、
前記反射部材から反射された光が前記傾斜面を通って前記回転リールの前面に照射されることを特徴とする請求項１に記載の遊技機。
【請求項３】
前記傾斜面は、前記回転リールの円周面に沿って湾曲していることを特徴とする請求項２に記載の遊技機。
【請求項４】
前記回転リールは、複数設けられ、
前記導光部材は、
隣接する前記回転リールの間に配置されるとともに、
前記光源からの光を前記回転リールの外周面の側縁方向から前記反射部材により前記回転リールの前面に向かって照射することを特徴とする請求項１、２又は３に記載の遊技機。
【請求項５】
隣接する２つの前記回転リールの間に配置された前記導光部材は、前記光源からの光を隣接する２つの前記回転リールのそれぞれの前面に向かって照射することを特徴とする請求項４に記載の遊技機。
【請求項６】
前記導光部材は、少なくとも一端の前記回転リールの側方にも配置されることを特徴とする請求項４又は５記載の遊技機。
【請求項７】
前記導光部材の幅は、隣接する２つの前記回転リール間に収まる幅に形成され、
前記フレームには、一の前記導光部材及び一の前記回転リールが取り付けられたリールスタンドが複数個、着脱可能に設けられ、
各前記リールスタンドは、他の前記リールスタンドとは、別個独立して前記フレームに対して着脱可能としたことを特徴とする請求項４、５又は６に記載の遊技機。
【請求項８】
２つの隣接する前記回転リール間の隙間の前面側には、その隙間を埋める前記反射部材が配置されていることを特徴とする請求項４、５、６又は７に記載の遊技機。
【請求項９】
前記反射部材の一部には、前記導光部材からの光の少なくとも一部を反射させずに透過させる透光部が設けられていることを特徴とする請求項８記載の遊技機。
【発明の詳細な説明】
【技術分野】
【０００１】
本発明は、外周面に複数の図柄が配置された回転リールを有するリールユニットが取り付けられたスロットマシン等の遊技機に関するものである。
【背景技術】
【０００２】
従来、人々に娯楽を提供するスロットマシンやパチンコ機等の遊技機が利用されている。たとえば、スロットマシンは、複数種類の図柄が配置されているとともに回転駆動可能に設けられた複数の回転リールを備えた遊技機である。この遊技機は、前側に開口部を有する四角箱状の筐体と、この筐体の一端に軸支されて前記開口部を開閉自在に塞ぐことができる前扉とを有している。そして、前記回転リールが、筐体内部に固定されている。
このスロットマシンでは、複数の回転リールが筐体内部に固定され、前扉の前面側に設けられた図柄表示窓からは各回転リールにつき複数個の図柄が表示される。このようなスロットマシンの場合、図柄表示窓から表示される回転リール上の図柄を照明する照明装置が筐体内部に設けられている（たとえば、特許文献１、特許文献２、特許文献３）。この照明装置は、白熱電球や、蛍光灯や、ＬＥＤ等を光源とするものであって、回転リールの回転に伴って移動する図柄をわかりやすく表示するために使用されている。
【０００３】
具体的には、特許文献１では、前扉の裏面側に蛍光灯等の光源が配設され、この光源により回転リールの外周面を照明している。
また、特許文献２では、回転リールの外側であってリールユニットに固定されている光源により回転リールの外周面を照明している。
また、特許文献３では、回転リールと回転リールとの間に光源を配置してその光源により回転リールの外周面を照明している。
【先行技術文献】
【特許文献】
【０００４】
【特許文献１】特開平１１−１５５９９８号公報
【特許文献２】特開平１０−２６３１４２号公報
【特許文献３】特開平０５−１２３４４０号公報
【発明の概要】
【発明が解決しようとする課題】
【０００５】
上記先行文献には以下のような問題点がある。
特許文献１のように、光源及びその基板とが、リールユニットの一方側だけに配置されずに、リールユニットと前扉との両方に跨って配置されると、仮にリールユニット側に、たとえば回転リールの個数の増減が発生するような設計変更がなされる場合には、前扉側にもそれに伴う設計変更が必要になり、前扉を共有するようなことができないという第１の問題点がある。
また、特許文献２のように、光源及びその基板とが、回転リールより外側（遊技者側）でリールユニットと一体に配設されると、光源及びその基板が回転リールに描かれている図柄を外部から視認する際の妨げになり易くなるという問題点がある。また、これを回避するために光源及びその基板が図柄表示窓から見て回転リールの外周面と重ならないようにリールユニットの外側周囲に配置される必要が生じ、リールユニットの大型化を招いてしまうという第２の問題点がある。
また、特許文献３のように、回転リールと回転リールとの隙間に光源及びその基板が配設されると、回転リールの幅寸法に加えて、光源及びその基板を配設するスペースの幅がリールユニットに必要になる。このため、リールユニットの左右の幅が大きくなってしまい、リールユニットが大型化してしまうという第３の問題点がある。
上記第１から第３までの問題点に鑑み、請求項１記載の発明は、リールユニットの設計変更を容易なものにすることができ、リールユニットが大型化することなく、リールユニットの前面側から図柄を見る際、光源等が邪魔にならず、図柄の視認性を良好なものにすることができるようにした遊技機を提供することを課題とする。
請求項２記載の発明は、上記した請求項１に記載の発明の課題に加え、回転リール間の僅かな隙間を利用して、光源からの光を回転リールの前面に照射することができるようにした遊技機を提供することを課題とする。
【０００６】
請求項３記載の発明は、上記した請求項２に記載の発明の課題に加え、回転リールの外周面に配置された複数の図柄を均一に照らすことができるようにした遊技機を提供することを課題とする。
請求項４記載の発明は、上記した請求項１、２又は３に記載の発明の課題に加え、図柄を明るく照らすことができるとともに回転リールの外周面の縁部も明確に照らすことができるようにした遊技機を提供することを課題とする。
請求項５記載の発明は、上記した請求項４に記載の発明の課題に加え、部品点数の減少化を図ることができる遊技機を提供することを課題とする。
【０００７】
請求項６記載の発明は、上記した請求項４又は５に記載の発明の課題に加え、少なくとも一端の回転リールの側縁を明るく照らすことができる遊技機を提供することを課題とする。
請求項７記載の発明は、上記した請求項４、５又は６に記載の発明の課題に加え、リールユニットのメンテナンス作業が容易な遊技機を提供することを課題とする。
【０００８】
請求項８記載の発明は、上記した請求項４，５、６又は７に記載の発明の課題に加え、回転リール間の隙間を前面側から見えないように隠すことができるようにした遊技機を提供することを課題とする。
請求項９記載の発明は、上記した請求項８記載の発明の課題に加え、リールユニットの前面側の外観を人の目を引く際だつものにすることが可能な遊技機を提供することを課題とする。
【課題を解決するための手段】
【０００９】
（請求項１）
上記課題を解決すべく請求項１記載の発明は、外周面に複数の図柄が配置された回転リール40と、前記回転リール40を回転自在に支持するフレーム80と、前記フレーム80に固定されるとともに前記回転リール40を回転駆動するモータ90とを備えたリールユニット60が取り付けられた遊技機10であって、前記リールユニット60は、前記回転リール40の外周面より内側で前記フレーム80に固定される光源120と、前記光源120からの光を前記回転リール40の前方に誘導する導光部材140と、前記導光部材140の前面に設けられるとともに前記光源120からの光を後方へ反射する反射部材170とを備え、前記光源120による前記回転リール40の外周面より内側からの光が前記導光部材140を介して前記回転リール40の前方に誘導されるとともにこの誘導された光が前記反射部材170により後方へ反射されて前記回転リール40の前面に照射されることを特徴とする。
【００１０】
回転リール40の外周面より内側に配置された光源120から発光された光は、導光部材140を介して、回転リール40の前方に誘導される。そして、この誘導された光は、反射部材170により後方へ反射されて、回転リール40の前面に照射される。これにより、回転リール40の外周面の図柄を明るく照らすことができて、図柄の視認性を良好なものにすることができる。
ここで、一般的に回転リール40の前面側を照らす光源120は、通常、回転リール40の前面側に配置される場合が多く、リールユニット60の周囲に存在する部材（具体的には、たとえば遊技機10に使用されるときにはリールユニット60の前面側にある前扉14）に設けられる。このため、リールユニット60側に回転リール40の個数の増減等の変更があると、周囲部材側にも影響を及ぼすことになる。
【００１１】
それに対して、本願発明は、リールユニット60を照明する機能を実現するための部品がリールユニット60に取り付けられ、リールユニット60にて完結している。これにより、リールユニット60側に回転リール40の個数の増減等の変更があっても、周囲部材側に影響がなく、リールユニット60だけの変更で済む。
また、光源120を回転リール40よりも前面側であってリールユニット60に固定するようにすると、光源120が回転リール40の図柄を前面側から視認する際の妨げになるとともにリールユニット60の大型化を招いてしまう。それに対して、本願発明では、光源120が回転リール40の外周面より内側に配置されている。このため、リールユニット60の前面側から図柄を見る際、光源120が邪魔にならず、図柄の視認性が良好なものとなる。また、光源120が回転リール40の外周面より内側に配置されているため、光源120が邪魔にならず各回転リール40を互いに近づけることができ、各回転リール40の隙間を小さくしてリールユニット60のコンパクト化（小型化）を図ることができる。
【００１２】
なお、本発明は、いわゆるスロットマシンの演出用の回転リール40のリール装置にも適用できるものであり、また、パチンコ機の回転リール40のリール装置にも利用することができる。
また、ここで、「回転リール40の前方」には、回転リール40の水平方向の前方（手前）だけでなく、回転リール40の前面側から手前側に向かって斜め上方向や、手前側に向かって斜め下方向も含まれる。
本発明の導光部材140は、光源120からの光を前方へ誘導可能なものであれば、どのような形状のものでもよい。具体的にはたとえば導光部材140の形状は光源120からの光を誘導する方向に沿って均一の厚みを有するものでもよい。また、導光部材140の全体としての形状は光源120からの光を誘導する方向に沿って徐々に厚みが薄くなるものでもよい。また、導光部材140の一部の形状は光源120からの光を誘導する方向に沿って厚みが薄くなるもの（たとえばリールテープ49付近で厚みが小さくなってくびれたような形状）でもよい。
また、導光部材140の全体としての形状は光源120からの光を誘導する方向に沿って徐々に厚みが厚くなるものでもよい。また、導光部材140の一部の形状は光源120からの光と誘導する方向に沿って厚みが厚くなるもの（たとえば先端付近で厚みが大きくなるような形状）でもよい。
また、導光部材140の形状は、リールテープ49より内側を均一な厚みを有する平板形状にするとともにリールテープ49より前側を厚みが漸増する（傾斜面160を有するような形状）等、回転リール40の外周部分（リールテープ49付近）を挟んで前後方向に厚さが異なるものでもよい。
【００１３】
（請求項２）
請求項２記載の発明は、上記した請求項１記載の発明の特徴点に加え、次の点を特徴とする。すなわち、前記導光部材140における前記反射部材170の後側には前記導光部材140の実質的な厚みが前面側に向かうに従って変化する傾斜面160が設けられ、前記反射部材170から反射された光が前記傾斜面160を通って前記回転リール40の前面に照射されることを特徴とする。
ここで、「導光部材140の実質的な厚みが前面側に向かうに従って変化する傾斜面160」には、１つの導光部材140の厚みが前面側に向かうに従って、徐々に減っていく（漸減する）傾斜面160や、徐々に増えていく（漸増する）傾斜面160が含まれるものである。さらに、導光部材140の前面側が複数、たとえば逆Ｖ字状に２つに分岐して、その２つに分岐したもののそれぞれの厚さの合計が、前面側に向かうに従って徐々に減っていく（漸減する）ものや、徐々に増えていく（漸増する）ものが含まれる。すなわち、「導光部材140の実質的な厚み」には、導光部材140の所定位置の断面における複数箇所の厚さの合計が含まれる。
本発明には、傾斜面160を複数個有するようなものも含まれる。たとえば導光部材140の側面側及び前端面側の両方に傾斜面160が設けられているものである。
なお、本発明には、前記導光部材140における前記反射部材170の前記回転リール40側には前記導光部材140の厚みが前面側に向かうに従い漸増する傾斜面160が設けられ、前記反射部材170から反射された光が前記傾斜面160を介して前記回転リール40の前面に照射されるものが含まれる。
【００１４】
光源120から発光された光は、導光部材140を介して、回転リール40の前方に誘導される。導光部材140の前面には反射部材170が設けられている。反射部材170は、回転リール40の前方に向かって誘導されてきた光を後方の回転リール40側に向かって反射する。反射部材170の後側には傾斜面160が設けられていることにより、反射部材170から反射された光は傾斜面160に到達する。この傾斜面160は導光部材140の厚みが前面側に向かうに従って実質的に変化するように傾斜している。このため傾斜面160を所定の角度に傾斜させることができ、傾斜面160を隣接する回転リール40の外周面に向かって面するように傾斜させることができる。これにより、傾斜面160に到達した光を、傾斜面160を通って隣接する回転リール40の前面に向かって照射することが可能となる。結果として、本発明によれば、回転リール40間の僅かな隙間を利用して、反射部材170に反射された光源120からの光を隣接する回転リール40の前面に照射することができる。
なお、ここで、導光部材140の厚みが前面側に向かうに従って変化する割合を調整することにより傾斜面160の傾斜角度を調整することができて、回転リール40の前面側に対する光の照射範囲や、光の明るさ（光量）や、導光部材140の厚さを調整することが可能となる。
また、ここで、傾斜面160の面形状は、１つの平面だけではなく、断面が折れ線状や階段状となる複数の平面からなるようなものや、湾曲面（凹状、凸状）とすることにより、光の照射範囲や、光の明るさ（光量）や、導光部材140の厚さを調整することが可能となる。
また、ここで、導光部材140の厚みが前面側に向かうに従って漸減するように変化する傾斜面160を設けるような場合において、導光部材140の幅方向に大きくすることなく、導光部材140の所定の幅内における傾斜面160の傾斜角度を調整することで、光の照射範囲や、明るさを調整することが可能となる。これにより、回転リール40間の隙間を狭い状態で維持することができ、リールユニット60の小型化を図ることができる。
【００１５】
（請求項３）
請求項３記載の発明は、上記した請求項２記載の発明の特徴点に加え、次の点を特徴とする。すなわち、前記傾斜面160は、前記回転リール40の円周面に沿って湾曲していることを特徴とする。
傾斜面160が回転リール40の円周面に沿って湾曲しているため、傾斜面160とこの傾斜面160に隣接する回転リール40の外周面との距離が略同一になる。これにより、傾斜面160から出た光が回転リール40の外周面に到達するまでの光路の距離を略同一に揃えることができ、回転リール40の外周面に配置された複数の図柄を均一に照らすことができる。
【００１６】
（請求項４）
請求項４記載の発明は、上記した請求項１、２又は３に記載の発明の特徴点に加え、次の点を特徴とする。すなわち、前記回転リール40は、複数設けられ、前記導光部材140は、隣接する前記回転リール40の間に配置されるとともに、前記光源120からの光を前記回転リール40の外周面の側縁方向から前記反射部材170により前記回転リール40の前面に向かって照射することを特徴とする。
隣接する回転リール40の間に導光部材140が配置されている。導光部材140は反射部材170により反射した光を回転リール40の外周面の側縁方向から回転リール40の前面に向かって照射する。
回転リール40の前面を側縁方向から照らすことになるため、遊技者が目押しを行うときに目印になり得る回転リール40の外周面の縁部も明確に照らすことができる。
導光部材140は、回転リール40の外周面の側縁方向にあるため、前扉14に光源120を設けるようなものと比較して、光を照射する導光部材140を回転リール40の外周面に接近させることができる。これにより、光源120の光量が小さくても図柄を明るく照らすことができる。
なお、光源120及びこの光源120を設けた光源用基板130も、導光部材140の後方であって、回転リール40の間に配置すると好適である。
また、光源120を複数設けるような場合には、たとえば複数の光源120が縦方向に並ぶように配置した光源用基板130を設けることにより、回転リール40の隙間に沿って上下方向に光源120を配置させることができ、回転リール40間の隙間スペースを有効に利用することができる。
【００１７】
（請求項５）
請求項５記載の発明は、上記した請求項４に記載の発明の特徴点に加え、次の点を特徴とする。すなわち、隣接する２つの前記回転リール40の間に配置された前記導光部材140は、前記光源120からの光を隣接する２つの前記回転リール40のそれぞれの前面に向かって照射することを特徴とする。
隣接する２つの回転リール40の間に配置された導光部材140は、光源120からの光を隣接する２つの回転リール40のそれぞれの前面に向かって照射する。１つの導光部材140で１つの回転リール40の前面を照射するものと比べて、１つの導光部材140により２つの回転リール40の前面を照射することができ、導光部材140の数を少なくすることができ、部品点数を少なくすることができる。
【００１８】
（請求項６）
請求項６記載の発明は、上記した請求項４又は５に記載の発明の特徴点に加え、次の点を特徴とする。すなわち、前記導光部材140は、少なくとも一端の前記回転リール40の側方にも配置されることを特徴とする。
少なくとも一端の回転リール40の側方に導光部材140が配置されていることにより、隣接する複数の回転リール40の両端のうち少なくとも一端の回転リール40の側縁方向から当該回転リール40の前面に向かって照射することができる。少なくとも一端の回転リール40の側縁を明るく照らすことができる。
【００１９】
（請求項７）
請求項７記載の発明は、上記した請求項４、５又は６に記載の発明の特徴点に加え、次の点を特徴とする。すなわち、前記導光部材140の幅は、隣接する２つの前記回転リール40間に収まる幅に形成され、前記フレーム80には、一の前記導光部材140及び一の前記回転リール40が取り付けられたリールスタンド190が複数個、着脱可能に設けられ、各前記リールスタンド190は、他の前記リールスタンド190とは、別個独立して前記フレーム80に対して着脱可能としたことを特徴とする。
【００２０】
導光部材140の幅は、隣接する２つの回転リール40間に収まる幅に形成されている。これにより、各回転リール40に対応する導光部材140を、隣接する回転リール40組立体の回転リール40間に収まりよく配置することができる。
一の導光部材140及び一の回転リール40が取り付けられた各リールスタンド190は、他のリールスタンド190とは、別個独立してフレーム80に対して着脱可能である。このため、回転リール40又は導光部材140の一部が故障して修理や交換をする場合に対象となる一のリールスタンド190だけを取り外して他のリールスタンド190は取り外すことなく作業を行うことができる。リールユニット60全体を１単位として交換しなければならないものと比べて交換作業等のメンテナンス作業を容易に行うことができて、便利である。
【００２１】
（請求項８）
請求項８記載の発明は、上記した請求項４、５、６又は７に記載の発明の特徴点に加え、次の点を特徴とする。すなわち、２つの隣接する前記回転リール40間の隙間の前面側には、その隙間を埋める前記反射部材170が配置されていることを特徴とする。
２つの回転リール40間の隙間の前面側には、その隙間を埋める反射部材170が配置されている。この反射部材170があることで、２つの回転リール40間の隙間を図柄表示窓13の前面側から見えないように隠すことができる。
この反射部材170が前記隙間の前面側に配置されたことにより、従来のその隙間を埋めるために用いられてきたいわゆるリールマスク部材を反射部材170と置き換えることができる（反射部材170を反射部材170及びリールマスク部材の両方の機能を兼ねる共用部材として使用できる）。
【００２２】
（請求項９）
請求項９記載の発明は、上記した請求項８に記載の発明の特徴点に加え、次の点を特徴とする。すなわち、前記反射部材170の一部には、前記導光部材140からの光の少なくとも一部を反射させずに透過させる透光部171が設けられていることを特徴とする。
反射部材170の一部には、透光部171が設けられている。光源120からの光が導光部材140の内部を通って透光部171に到達すると、その光の少なくとも一部は反射せずに透光部171をそのまま透過し、反射部材170の前面側に進む。反射部材170の前面側から見ると反射部材170のうち透光部171の部分だけを発光させることができる。これにより、リールユニット60の前面側の外観を人の目を引く際だつものにすることが可能となる。
なお、透光部171は有色半透明の樹脂状部材を用いて着色させてもよく、また、この透光部171を用いて遊技状態や遊技情報を遊技者へ知らせる報知部として利用することもできる。
【発明の効果】
【００２３】
本発明は、以上のように構成されているので、以下に記載されるような効果を奏する。
請求項１記載の発明によれば、リールユニットの設計変更を容易なものにすることができ、リールユニットが大型化することなく、リールユニットの前面側から図柄を見る際、光源等が邪魔にならず、図柄の視認性を良好なものにすることができるようにした遊技機を提供することができる。
請求項２記載の発明によれば、請求項１記載の発明の効果に加えて、回転リール間の僅かな隙間を利用して、光源からの光を回転リールの前面に照射することができるようにした遊技機を提供することができる。
【００２４】
請求項３記載の発明によれば、請求項２記載の発明の効果に加えて、回転リールの外周面に配置された複数の図柄を均一に照らすことができるようにした遊技機を提供することができる。
請求項４記載の発明によれば、請求項１、２又は３に記載の発明の効果に加えて、図柄を明るく照らすことができるとともに回転リールの外周面の縁部も明確に照らすことができるようにした遊技機を提供することができる。
請求項５記載の発明によれば、請求項４記載の発明の効果に加えて、部品点数の減少化を図ることができる遊技機を提供することができる。
【００２５】
請求項６記載の発明によれば、請求項４又は５に記載の発明の効果に加えて、少なくとも一端の回転リールの側縁を明るく照らすことができる遊技機を提供することができる。
請求項７記載の発明によれば、請求項４、５又は６に記載の発明の効果に加えて、リールユニットのメンテナンス作業が容易な遊技機を提供することができる。
【００２６】
請求項８記載の発明によれば、請求項４、５、６又は７に記載の発明の効果に加えて、回転リール間の隙間を前面側から見えないように隠すことができるようにした遊技機を提供することができる。
請求項９記載の発明によれば、請求項８に記載の発明の効果に加えて、リールユニットの前面側の外観を人の目を引く際だつものにすることが可能な遊技機を提供することができる。
【図面の簡単な説明】
【００２７】
【図１】本発明の第１の実施の形態であって、遊技機を示す外観正面図である。
【図２】本発明の第１の実施の形態であって、リールユニットを示す外観斜視図である。
【図３】本発明の第１の実施の形態であって、中リールスタンド及び前面側照明装置を示す分解斜視図である。
【図４】本発明の第１の実施の形態であって、左リールスタンド及び前面側照明装置を示す分解斜視図である。る。
【図５】本発明の第１の実施の形態であって、リールマスクスタンド及び前面側照明装置を示す分解斜視図である。
【図６】本発明の第１の実施の形態であって、（Ａ）は両照射導光部材、（Ｂ）は右照射導光部材を示す外観斜視図である。
【図７】本発明の第１の実施の形態であって、中リール組立体（又は右リール組立体）を示す外観斜視図である。
【図８】本発明の第１の実施の形態であって、左リール組立体を示す外観斜視図である。
【図９】本発明の第１の実施の形態であって、リールユニットを示す正面図である。
【図１０】本発明の第１の実施の形態であって、リールユニットの前側部分を示す一部横断面図である。
【図１１】本発明の第１の実施の形態であって、中リール組立体を示す側面図である。
【図１２】本発明の第１の実施の形態であって、回転リールを取り付けていない状態のリールユニットを示す外観正面図である。
【図１３】本発明の第２の実施の形態であって、右リール組立体及び中リール組立体（左リール組立体は省略）の一部横断面図である。
【図１４】本発明の第３の実施の形態であって、リールユニットを示す外観正面図である。
【図１５】本発明の第４の実施の形態であって、導光部材及び回転リールの概略横断面図である。
【図１６】本発明の実施の形態であって、（Ａ）〜（Ｊ）は導光部材及び回転リールの配置のバリエーションを示す概念図である。
【発明を実施するための形態】
【００２８】
本明細書では、各説明箇所において、方向についての定義等が示されていない場合には、遊技機の方を向いて位置している遊技者から見て、遊技機から遊技者の手前側に向かう方向を「前方向」とし、その逆方向を「後方向」とする。また、同様に、「左方向」や「右方向」等の左右方向も、遊技者から見た場合の左方向や、右方向を意味する。同様に、各部材の説明においても、方向についての定義等が示されていない場合には、各部材を、遊技機10の所定位置に固定した状態における遊技者から見た方向を意味する。
本実施の形態に係る遊技機としてのスロットマシンを、以下、図１を参照しながら説明する。本実施の形態に係る遊技機10としてのスロットマシンは、前方向に向かって開口する正面開口を有する四角箱状の筐体11と、この筐体11の正面開口を開閉自在に覆う前扉14とを備えている。
【００２９】
前扉14の上部には、薄板樹脂からなる上パネル12aを備えている。この上パネル12aの略中央には、左から順に左回転リール41、中回転リール42、右回転リール43の３個の回転リール40の円周上の図柄を見ることができる透過可能な図柄表示窓13が形成されている。この図柄表示窓13は、３個全ての回転リール40の回転が停止した際には、縦３列（左、中、右の回転リール40が縦方向に３列）及び横３行（上から順に停止した図柄の位置が上段、中段、下段の３段）に配置した合計９個の図柄を遊技者に見せるように形成されている。
前記図柄表示窓13の奥側の筐体11を構成する背面板（図示せず）に３個の駆動モータによって図柄表示手段としての回転リール40を回転させるためのリールユニット60が固定されている。具体的には、筐体11の前記背面板には、前側に向かって開口する複数の被係止部（図示せず）が設けられている。リールユニット60には、背面側から後方に突出するとともに前記被係止部に係止可能な背面係止部61（図２参照）が設けられている。この背面係止部61が前記被係止部に係止されることにより、リールユニット60が筐体11に固定される。
前記前扉14には、遊技者に役抽選の当選等を音や光や映像で報知させる報知手段66が形成されている。この報知手段66は、前扉14に配置されたスピーカー67と、液晶パネル68と、報知ランプ69とを備えている。
【００３０】
この液晶パネル68は、その画面に種々の映像を表示するための表示デバイスである。ここで、液晶パネル68は、図柄表示窓13の上方に配置され、かつ、横幅が図柄表示窓13の横幅と略同じ寸法となっている。
【００３１】
前記前扉14の下部には下パネル12bが設けられている。そして、前扉14は下パネル12bの上に位置して前扉14の前方向へ向けて突出する操作部19を備えている。
本実施の形態に係る遊技機10には、遊技開始の条件として投入するためのメダルを後述するメダル投入口18からあらかじめ投入して、最大５０枚までクレジットメダルとして内部に貯留可能なクレジット機能を有している。なお、このクレジットメダルとして貯留可能な最大枚数である５０枚を最大クレジットメダル数とする。
前記操作部19の右側には、遊技媒体としてのメダルを投入するためのメダル投入口18が設けられている。このメダル投入口18の下には、クレジット機能によりクレジットしたメダルの全てを払い出すための精算スイッチ17が設けられている。この精算スイッチ17の左側には、操作により対応する回転リール40の回転を停止させるため、３個の回転リール40のそれぞれに対応する３個のストップスイッチ50が設けられている。このストップスイッチ50の左側には、メダルの投入又はベットスイッチ16の操作を条件に回転リール40の回転を開始させるためのスタートスイッチ30が設けられている。このスタートスイッチ30の上には、クレジットしたメダル数を３枚減じて３枚のメダル投入に代えるマックスベットスイッチ16mと、クレジットしたメダル数を１枚減じて１枚のメダル投入に代えるシングルベットスイッチ16sとが設けられている。
【００３２】
前記前扉14の下部の奥には、いわゆるホッパーユニットであって、メダルを貯留することができるとともに、メダルを払い出すことができる貯留払い出し手段65と、電源投入又は電源遮断のための操作が可能な電源スイッチを有すると共に各部品に電力を供給するための電源装置5とが配置されている。
そして、前扉14の下部には、所定の役の図柄が所定のライン（所定の役の図柄が揃ったときに入賞となるラインのことであり、以下、有効ラインとする）上に表示され、かつ、クレジットされているメダル数が５０枚に到達している場合に、貯留払い出し手段65からメダルが払い出されるメダル払出口32が形成されている。このメダル払出口32の下方には、メダル払出口32から払い出されたメダルを貯留するため、上方に向かって開口する皿状のメダル受け皿33が形成されている。なお、クレジットされているメダル数が最大クレジットメダル数である５０枚未満の場合は、５０枚に到達するまで、入賞により獲得したメダルはメダル払出口32から払い出されずにクレジットメダルの枚数に加算される。
【００３３】
本実施の形態に係る遊技機10は、マックスベットスイッチ16m等の操作又はメダル投入により所定枚数のメダルを投入することにより遊技の開始を可能とするものである。そして、スタートスイッチ30の押下操作により、回転リール40の回転を開始させて遊技が開始されるとともに、役抽選が行われる。そして、当該遊技機10は、各回転リール40に対応するストップスイッチ50の押下タイミング及び役抽選の結果に基づいて、回転リール40の回転を役抽選の結果に適合するように停止させる。当該遊技機10は、停止時の図柄の組み合わせによって、当選した役を構成する図柄の組み合わせが有効ライン上に停止表示された場合に、所定枚数のメダルを払い出す等の所定の特典（利益）を遊技者に付与するものである。
【００３４】
遊技機10の内部には、遊技機10の全体の動作を制御するための制御装置が形成されている。前記制御装置は、遊技を進行させて遊技状態を制御する遊技制御装置としてのメイン基板と、このメイン基板からの信号を受けて、遊技内容に関する情報を遊技者に報知するための演出を行うために演出状態を制御する演出制御装置としてのサブ基板とを備えている。メイン基板は、役抽選を行うとともに、リールユニット60及び貯留払い出し手段65の作動を制御する。
このメイン基板には、リールユニット60（詳しくは回転リール40を駆動するモータ90及びインデックスセンサユニット310）と、貯留払い出し手段65（詳しくはホッパーユニットを駆動するモータ（図示せず））と、マックスベットスイッチ16mと、シングルベットスイッチ16sと、スタートスイッチ30と、ストップスイッチ50と、精算スイッチ17とが接続されている。
サブ基板は、メイン基板から信号を入力し、報知手段66の作動を制御する。サブ基板の出力側には、報知手段66としてのスピーカー67と、液晶パネル68と、報知ランプ69と、各バックライトユニット320と、各光源用基板130とが接続されている。
【００３５】
メイン基板と、サブ基板とは、それぞれ専用の基板ケース70の内部に収納されている。具体的には、メイン基板は、メイン基板ケース71の内部に収納され、サブ基板は、サブ基板ケース72の内部に収納されている。そして、メイン基板ケース71は、筐体11内部の奥側の上部に固定され、サブ基板ケース72は、筐体11内部の前面から向かって左側に固定されている。
【００３６】
図２に示すように、リールユニット60は、３個の回転リール40と、回転リール40を回転自在に支持するフレーム80と、フレーム80に固定されるとともに回転リール40を回転駆動するモータ90（図１１参照）とを備えている。
具体的には、リールユニット60は、細長い軸組材を六面体状に組んだフレーム80に、１個の回転リール40を含んで構成されたリール組立体180（図７、図８参照）が３個取り付けられたものである。具体的には、リール組立体180は、左回転リール41を有する左リール組立体182と、中回転リール42を有する中リール組立体184と、右回転リール43を有する右リール組立体186とからなる。
【００３７】
各リール組立体180の各々は、上述の回転リール40と、この回転リール40を回転駆動するためのモータ90（具体的には、ステッピングモータ）と、回転リール40及びモータ90を支持するために、上下の端部がフレーム80に固定されるリールスタンド190とを有するものとなっている。なお、３つのリール組立体180に用いられる樹脂からなるリールスタンド190は、同一形状のものであるが、便宜上、左リール組立体182、中リール組立体184、右リール組立体186のそれぞれに用いられるリールスタンド190の名称を、左リールスタンド191、中リールスタンド192、右リールスタンド193としている。また、右リール組立体186の右側には、モータ90や回転リール40を有さないリールマスクスタンド200が形成されている。このリールマスクスタンド200は、右回転リール43の右側に前面側照明装置100を固定するとともに右回転リール43の右側の隙間を埋めるものである。
前記回転リール40は、中心軸を保持するためのハブ部44と、このハブ部44を中心にした放射状に延びる３本のスポーク部46（図１１参照）と、このスポーク部46の先端間を結ぶ周縁部分となるリム部48とを備えたものである。回転リール40のリム部48には、透光性を有する帯状のリールテープ49がリム部48の外周縁に沿って巻き回され、これにより、リールテープ49が円筒状に形成されている。そして、このリールテープ49の外周表面には、複数種類の図柄が描かれている。
【００３８】
前記モータ90は、上述の如く、回転リール40を回転駆動するステッピングモータであり、その駆動軸に回転リール40のハブ部44の中心が取り付けられている（図１１参照）。このモータ90の駆動軸が回転リール40の回転軸となっており、これにより、回転リール40がリールスタンド190、ひいては、フレーム80に回転自在に支持されるようになっている。
各リール組立体180の各リールスタンド190の上部には、前後方向に沿って長尺の平板状（レール状）に形成されている上差込部194が形成され、また、各リール組立体180の各リールスタンド190の下部には、前後方向に沿って長尺の平板状（レール状）に形成されている下差込部195が形成されている（図３、４、７、８、１１参照）。この上差込部194及び下差込部195に対応するフレーム80の部分に、前記上差込部194及び下差込部195の幅に対応する前後方向の溝（図示せず）が形成されてある。この溝に各リール組立体180の上差込部194及び下差込部195を差し込み、前方から後方へスライドさせてフレーム80の所定位置に各リール組立体180を移動させることができる。
このようにして、前記リールスタンド190は、フレーム80の前方から後方へ向かってフレーム80に差し込まれ、この状態で、リールスタンド190の上下両端に設けられた取付部196がフレーム80に取付ねじ198により固定され、結果として上下２カ所でねじ止めされているものである。後述する１の導光部材140及び１の回転リール40が取り付けられたリールスタンド190が３個、それぞれフレーム80に着脱可能に設けられている。各リールスタンド190は、他のリールスタンド190とは、別個独立してフレーム80に対して着脱可能に形成されている。
各リールスタンド190の取付部196の後側には、光源用基板130やバックライトユニット320からの配線用ケーブル（図示せず）を通すための筒状の配線用筒部197が形成されている。
なお、リールスタンド190は、上述したような取付ねじ198による締結部材で固定するものに限定されるものではなく、たとえば係止孔とその係止孔に係止可能な係止片とにより固定するようにしてもよい。
【００３９】
各リールスタンド190の前面側には、回転リール40の前面側を明るく照らすための前面側照明装置100が設けられている。この前面側照明装置100は、回転リール40の外周面より内側でリールスタンド190を介してフレーム80に固定される光源120（図３参照）と、この光源120からの光を回転リール40の前方に誘導する導光部材140と、この導光部材140の前面に設けられるとともに光源120からの光を後方へ反射する反射部材170とを備えている。
【００４０】
リールスタンド190の上端及び下端に設けた取付部196は、回転リール40の円筒状のリールテープ49の外周面よりも外側へ突出したものとなっている。リールスタンド190の前面側には、前記光源120を固定するための光源固定部210（図３参照）が設けられている。光源固定部210の前面には、光源用基板130がねじにより固定され、この光源用基板130の前面側にＬＥＤからなる７個の前記光源120が縦方向に並んで配置されている。
なお、光源120は、回転リール40の外周面より内側であって、回転リール40の回転の邪魔にならないようなところであれば、どこに配置してもよいものである。本実施の形態では、光源120への配線等も回転リール40の回転の邪魔にならないように配置されている。
前記導光部材140は、この光源120及び光源用基板130の前面側に配置されるものであって、光源120からの光を内部に通過させて回転リール40の前方に誘導するものである。この導光部材140は、その上下両端がリールスタンド190の前面から突出する支持アーム部220（図３参照）に固定されている。この導光部材140は前面側に延びて、円筒状のリールテープ49の外周面よりも外側へ突出したものとなっている。その突出した導光部材140の前面側は、回転リール40の円周面に沿って湾曲している。この導光部材140の材質は、ポリカーボネート樹脂からなるものであるが、特にこれに限定されるものではなく透明性を有するものであればアクリル樹脂等により形成されてもよい。
【００４１】
前記導光部材140は、その右側の回転リール40の前面側に向かって光源120からの光を照射する右照射導光部材152と、その両側の回転リール40の前面側に向かって光源120からの光を照射する両照射導光部材151と、その左側の回転リール40の前面側に向かって光源120からの光を照射する左照射導光部材153とを備えている。
右照射導光部材152は、左回転リール41の左側に配置されて左回転リール41の前面側に光源120からの光を照射可能なものである。
【００４２】
両照射導光部材151は、左回転リール41と中回転リール42との間、及び中回転リール42と右回転リール43との間に配置されている。左回転リール41と中回転リール42との間に配置された両照射導光部材151は、左回転リール41と中回転リール42との両方の前面側に光源120からの光を照射可能である。中回転リール42と右回転リール43との間に配置された両照射導光部材151は、中回転リール42と右回転リール43との両方の前面側に光源120からの光を照射可能である（図１０参照）。
左照射導光部材153は、右回転リール43の右側に配置されて右回転リール43の前面に光源120からの光を照射可能なものである（図１０参照）。
【００４３】
図３に示すように、中リールスタンド192の中央にはモータ90を取り付けるためのモータ固定部199が設けられている。
前記中リールスタンド192の上部には、側方に突出するセンサ固定部230が設けられている。このセンサ固定部230は、回転リール40の回転角度位置を常に正確に検出できるようにするために回転リール40の回転角度位置の原点を検出するためのフォトセンサを有するインデックスセンサユニット310（図１１参照）が固定されるものである。
【００４４】
前記中リールスタンド192の前面の上下には、断面Ｔ字状であって手前側に向かって突出する２組の支持アーム部220が設けられている。この支持アーム部220の前端には、導光部材140の上下端のねじ孔143を固定ねじ224（図７参照）によって固定するために横方向に貫通する貫通孔222が形成されている。
前記導光部材140は、光源120からの光を前方へ案内する本体導光部141と、この本体導光部141の先端に連続して設けられるともに本体導光部141から案内されてきた光源120からの光を後方へ反射させて回転リール40の前面に照射する反射導光部142とを有している。前記本体導光部141は横断面形状が長方形状に形成され、前記反射導光部142は横断面形状が三角形状に形成されている。
【００４５】
反射導光部142の前面には、反射部材170としての反射テープが貼付されている。なお、反射テープの代わりに導光部材140の前面に蒸着させて形成する金属層（アルミ層箔）を用いてもよく、また、反射テープ及び金属層を併用してもよい。
前記反射部材170としての反射テープは、アルミニウムなどの金属製の薄膜フィルムからなる光を反射するベース体（図示せず）と該ベース体の一方の面（後方側の面）に形成される透明な粘着層とによりなる粘着テープである。この反射テープは、前記粘着層を導光部材140の前面側に対向させて密着させることで導光部材140の前面側に貼付し、この貼付した状態で導光部材140を介して誘導される光を反射させるものである。
また、この反射テープは、ベース体の他方の面（外面）に有色インクで着色又は模様を印刷してなるデザイン層が形成され、いわゆるリールマスクとしての装飾性を有しているものである。
導光部材140における反射部材170の後方の回転リール40側、すなわち反射導光部142の左右側面には、導光部材140の厚みが前面側に向かうに従い漸増する傾斜面160が設けられている。反射部材170から反射された光源120からの光が傾斜面160を介して回転リール40の前面に照射される。本実施の形態に係る導光部材140の傾斜面160は、隣接する回転リール40の外周表面の前面の全幅のうち傾斜面160側の半分だけに光を照射しているが、特にこれに限定されるものではなく、傾斜面160の傾斜角度を調整することにより隣接する回転リール40の外周表面の前面の全幅に照射するように形成することもできる。前記反射導光部142の前面側は、回転リール40の円周面に沿って湾曲しており、その傾斜面160も同様に回転リール40の円周面に沿って湾曲している。
【００４６】
前記傾斜面160には、表面に複雑な凹凸模様を有するシボ加工が施されている。このシボ加工により傾斜面160から出る光をある程度、拡散させることができる。これにより、傾斜面160に近い回転リール40の外周面にムラ無く光を照射することができるものである。なお、本実施の形態では傾斜面160にシボ加工を施すことにより光を拡散させているが、他の拡散機能を持つものにしてもよい。具体的には、たとえば導光部材140の内部に光を拡散させる微少部材である光拡散材を混入させているものでもよく、また、上述したシボ加工と併用してもよいものである。
なお、導光部材140の内部に光拡散材を混入させる場合、導光部材140の全体に光拡散材を混入させることもできるが、そのようにすると導光部材140の全体が発光するため、前方へ誘導する光が少なくなる（ロスすることになる）。このため、導光部材140の一部、具体的には導光部材140の前方部分（傾斜面160が形成されている横断面形状が台形状の部分）の反射導光部142にのみ光拡散材を混入させ、残り部分（板状部分）の本体導光部141には光拡散材を混入させずに透明な状態のままとすると良い。
【００４７】
図３に示す中リールスタンド192の前面側に取り付けられる前面側照明装置100には、上述したように両照射導光部材151が用いられている。この両照射導光部材151には、反射導光部142の左右に傾斜面160が形成されている。この左右の傾斜面160から左右の回転リール40の前面側に向かって反射部材170で反射された光が照射される。なお、図３に示す中リールスタンド192及び両照射導光部材151は、右リールスタンド193及び右リールスタンド193の前面に固定される両照射導光部材151と全く同一の構成となる。
【００４８】
図４に示すように左リールスタンド191の前面には、右照射導光部材152が装着される。この右照射導光部材152は、右側面にだけ傾斜面160が形成されている。この右照射導光部材152の左側面には傾斜面160が形成されておらず、その左側面は本体導光部141から反射導光部142まで連続する同一面からなる。これにより、右照射導光部材152は、主にその右側の左回転リール41の前面側に反射部材170からの光を照射することができる。
【００４９】
図５に示すようにリールマスクスタンド200は、上述したリールスタンド190の前面側のみから形成されているものである。リールマスクスタンド200は、回転リール40を装着しないので、モータ固定部199やセンサ固定部230等の部分は必要としないものである。リールマスクスタンド200は、リールスタンド190の前面側と略同様の形状であって光源固定部210や、支持アーム部220はリールスタンド190と同様の形状のものを有している。
【００５０】
このリールマスクスタンド200の前面側照明装置100には、左照射導光部材153が使用されている。この左照射導光部材153は、左側面にだけ傾斜面160が形成されている。左照射導光部材153の右側面には傾斜面160が形成されておらず、この右側面は本体導光部141から反射導光部142まで連続する同一面からなる。これにより、左照射導光部材153は、主にその左側の右回転リール43の前面側に反射部材170からの光を照射することができるものである。
【００５１】
図６（Ａ）（Ｂ）に示すように、両照射導光部材151及び右照射導光部材152の反射導光部142の傾斜面160は、前面側に向かって突出するように湾曲して形成されているものである。この湾曲は、回転リール40の円周面に沿って形成されているものである。なお、図示していないが左照射導光部材153の傾斜面160も上述した右照射導光部材152と同様に回転リール40の円周面に沿って湾曲している。
【００５２】
図７に示すように、中リール組立体184は、中リールスタンド192の前面側に両照射導光部材151が装着されている。なお、中リール組立体184と右リール組立体186との相違点は、中リール組立体184が中回転リール42を使用し、右リール組立体186が右回転リール43を使用していることが相違するだけでその他の構成は両者同一となる。
図８に示すように、左リール組立体182は、左リールスタンド191の前面側に右照射導光部材152が装着されている。
【００５３】
図９に示すように、図柄表示窓13から観察される領域内においては、２つの隣接する回転リール40の隙間の前面側には、その隙間を埋める反射部材170が配置されている。すなわち、左回転リール41と中回転リール42との間の隙間及び中回転リール42と右回転リール43との間の隙間の前面側には、両照射導光部材151の前面側に貼付されている反射部材170が配置されている。
また、図柄表示窓13から観察される領域内においては、左回転リール41の左側の空間の前面には、右照射導光部材152の前面側に貼付されている反射部材170が配置されている。
また、図柄表示窓13から観察される領域内においては、右回転リール43の右側の空間の前面には、左照射導光部材153の前面側に貼付されている反射部材170が配置されている。
【００５４】
図１０に示すように、各反射部材170の横幅は、２つの隣接する回転リール40の隙間と略同一となるように形成されている。これにより、反射部材170の存在により、前面側から見たときに前記隙間を隠すことができる。
また、回転リール40の内側には、リールテープ49を背面側から照射するためのバックライトユニット320が形成されている。リールテープ49の図柄を、導光部材140を介して前面側と、バックライトユニット320による背面側との両方から光を照射することができる。これにより、図柄を明瞭に見えるようにすることができる。
【００５５】
また、各導光部材140の傾斜面160から照射される光は、回転リール40のリール幅の半分を主に照らすように形成され、回転リール40の左右両側に導光部材140の傾斜面160が配置されることでリール幅の全部を明るく照らすことができるように形成されている。なお、特にこれに限定されるものではなく、全ての導光部材140の横断面形状を直角三角形状にして、１つの導光部材140により１つの回転リール40の全幅に光を照射するようにしてもよい。この場合、導光部材140は、１個の回転リール40に対して１個で済み、合計３個にすることができる。なお、導光部材140の配置の種々のバリエーションは後で説明する。
【００５６】
図１１に示すように、反射部材170は、回転リール40の円周面に沿って形成されているものであって、回転リール40の中心軸と同一中心軸の円周面に沿って形成されているものである。これにより、回転リール40の円周面と、反射部材170の円周面との間の距離は、いずれの角度の位置であっても同一となるように形成されている。反射部材170から反射された光の到達距離がいずれの位置であっても同一となり、光の拡散を同一にすることができる。これにより、回転リール40の円周面に反射部材170からの光を均一に照射することが可能となり、回転リール40の円周面のいずれの位置においても、ムラなく均一の明るさにすることができる。なお、図１１は中リール組立体184の側面図を示すものであるが、右リール組立体186の形状も同様のものとなり、左リール組立体182の形状も導光部材140の形状が僅かに異なるだけで略同様のものとなる。
【００５７】
図１２に示すように、４つの光源用基板130のそれぞれに設けられた７個のＬＥＤからなる光源120は、高さ方向が略同一位置となるような位置に設けられている。
（作用）
図１０に示すように、回転リール40の外周面より内側に配置された光源120から発光された光は、導光部材140を介して、回転リール40の前方に誘導される。そして、この誘導された光は、反射部材170により後方へ反射されて、傾斜面160から回転リール40の前面のリールテープ49に照射される。これにより、回転リール40の外周面のリールテープ49に描かれた図柄を明るく照らすことができて、図柄の視認性を良好なものにすることができる。
【００５８】
本実施の形態では、リールユニット60を照明する機能を実現するための部品がリールユニット60に取り付けられ、リールユニット60にて完結している。これにより、光源120を前扉14に設けるような場合と比べて、リールユニット60側に回転リール40の個数の増減等の変更があっても、周囲部材側に影響がなく、リールユニット60だけの変更で済む。
一般的に、光源を回転リールよりも前面側であってリールユニットに固定するようにすると、光源が回転リールの図柄を前面側から視認する際の妨げになるとともにリールユニットの大型化を招いてしまう。
それに対して、本実施の形態では、図１０に示すように、光源120が回転リール40の外周面より内側に配置されている。このため、リールユニット60の前面側から図柄を見る際、光源120が邪魔にならず、図柄の視認性が良好なものとなる。また、光源120が回転リール40の外周面より内側に配置されているため、光源120を回転リール40の横に配置するような場合と比較して各回転リール40を互いに近づけることができ、各回転リール40の隙間を小さくしてリールユニット60のコンパクト化（小型化）を図ることができる。
【００５９】
図１０に示すように、反射部材170の後方の回転リール40側の導光部材140には傾斜面160が設けられていることにより、反射部材170から反射された光は傾斜面160に到達する。この傾斜面160は導光部材140の厚みが前面側に向かうに従い漸増するように傾斜しているため、傾斜面160は隣接する回転リール40の外周面に向かって面する。これにより、傾斜面160に到達した光は、傾斜面160から隣接する回転リール40の前面に向かって照射される。結果として、回転リール40間の僅かな隙間を利用して、反射部材170に反射された光源120からの光を回転リール40の前面に照射することができる。
【００６０】
図７及び図８に示すように、傾斜面160が回転リール40の円周面に沿って湾曲しているため、傾斜面160とこの傾斜面160に隣接する回転リール40の外周面との距離が略同一になる。これにより、傾斜面160から出た光が回転リール40の外周面に到達するまでの光路の距離を略同一に揃えることができ、回転リール40の外周面に配置された複数の図柄を均一に照らすことができる。
【００６１】
図１０に示すように、導光部材140は反射部材170により反射した光を回転リール40の外周面の側縁方向から回転リール40の前面に向かって照射する。回転リール40の前面を側縁方向から照らすことになるため、遊技者が目押しを行うときに目印になり得る回転リール40のリールテープ49の外周面の縁部も明確に照らすことができる。
ここで、一般的にリールテープ49に形成される図柄のうち、特定の図柄（たとえばボーナス図柄の「７」）では、その図柄の一部（たとえば「７」の上側横棒の左端）が、他の図柄（たとえばベルやリプレイの図柄）よりも側方（左側）へはみ出るように大きく形成されている。このはみ出た部分が回転リール40の回転中の目印となり、いわゆる目押しが行い易くなっている。このように、回転リール40が回転中であっても、特定の図柄の位置が判別し易くするための工夫が、多くの遊技機のリールテープ49の図柄の縁部に施されている。したがって、本実施の形態のようにリールテープ49の縁部を明確に照らすことにより、遊技者の目押しを補助することができる。
導光部材140は、回転リール40のリールテープ49の外周面の側縁方向にあるため、前扉14に光源を設けるようなものと比較して、光を照射する導光部材140を回転リール40のリールテープ49の外周面に接近させることができる。これにより、光源120の光量が小さくても図柄を明るく照らすことができる。
【００６２】
なお、本実施の形態では、傾斜面160からは隣接する回転リール40の略半分に光を照射しているが、傾斜面160の角度が異なる導光部材140を使用することにより、隣接する回転リール40の全幅に光を照射することもできる。そのような導光部材140を用いると、隣接する２つの回転リール40の間に配置された両照射導光部材151は、光源120からの光を隣接する２つの回転リール40のそれぞれの前面側の全幅に向かって照射することができる。そのようにすると、１つの導光部材140で１つの回転リール40の前面を照射するものと比べて、１つの導光部材140により２つの回転リール40の前面を照射することができ、導光部材140の数を少なくすることができ、部品点数を少なくすることができる。
【００６３】
右照射導光部材152は、左回転リール41の左側方に配置されている。このため、左回転リール41の左側縁方向から該左回転リール41の前面に向かって光を照射することができ、その側縁を明るく照らすことができる。
また、左照射導光部材153は、右回転リール43の右側方に配置されている。このため、右回転リール43の右側縁方向から該右回転リール43の前面に向かって光を照射することができ、その側縁を明るく照らすことができる。
【００６４】
図１０に示すように、両照射導光部材151の幅は、隣接する２つの回転リール40間に収まる幅に形成されている。これにより、両照射導光部材151を、隣接するリール組立体180の回転リール40間に収まりよく配置することができる。
一の導光部材140及び一の回転リール40が取り付けられた各リールスタンド190は、他のリールスタンド190とは、別個独立してフレーム80に対して着脱可能である。具体的には、リールスタンド190の上下の取付部196の取付ねじ198を取り外し、リール組立体180の上差込部194及び下差込部195を溝に沿って後方から前方へスライドさせることにより、簡単に当該リールスタンド190を有するリール組立体180をフレーム80から取り外すことができる（図２参照）。すなわち、１のリールスタンド190を有するリール組立体180は、他のリールスタンド190を有するリール組立体180に対して別個独立してフレーム80から着脱可能である。
【００６５】
このため、回転リール40又は導光部材140の一部が故障して修理や交換をする場合に対象となる一のリールスタンド190を有するリール組立体180だけを取り外して他のリールスタンド190を有するリール組立体180は取り外すことなく作業を行うことができる。リールユニット60全体を１単位として交換しなければならないものと比べて交換作業等のメンテナンス作業を容易に行うことができて、便利である。
【００６６】
図９に示すように、２つの回転リール40間の隙間の前面側には、その隙間を埋める反射部材170が配置されている。この反射部材170があることで、２つの回転リール40間の隙間を図柄表示窓13の前面側から見えないように隠すことができる。
この反射部材170が前記隙間の前面側に配置されたことにより、従来のその隙間を埋めるために用いられてきたいわゆるリールマスク部材を反射部材170と置き換えることができる。すなわち、反射部材170を反射部材170及びリールマスク部材の両方の機能を兼ねる共用部材として使用することができる。
【００６７】
図１０に示すように、光源120を制御する光源用基板130も回転リール40の外周面より内側に設けてあるため、前扉14に光源やそのような基板を設けるようなものと比較して、それらとの間を結ぶ配線（図示せず）を短く簡素化することができる。
さらに、光源用基板130は回転リール40の内側に配置するので、回転リール40間の隙間は１個のＬＥＤの巾寸法だけがあれば導光部材140により前面側に誘導することが可能となる。このため、光源及びその基板を回転リール40間に設けるようなものと比較して、回転リール40間の隙間を小さくすることができる。これにより、リールユニット60の巾寸法をコンパクトなものにすることができる。
【００６８】
図１０に示すように、本実施の形態では前面側照明装置100が回転リール40間に配置されている。従来の照明装置（冷陰極管）を回転リールの前面側に設けるようなものと比較して、本実施の形態では、それらを設置するためのスペースが回転リール40の前面側に不要となる。これにより、省スペース化を図ることができるとともに、回転リール40を図柄表示窓13に接近させて配置することができて図柄の視認性を良好なものにすることができる。
【００６９】
なお、光源120は回転リール40の外周表面より内側に配置されている。このため、その光源120からの光の一部は導光部材140に入らずに周囲に漏れることになる。その漏れた光は外周面を内側から照らすことになり、この光源120は、回転リール40のリールテープ49を内周面側から照らすバックライトの補助としても利用することができる。さらに、そのような漏れた光を積極的に集光させてリールテープ49の内面側へ誘導するような他の導光部材や反射部材を設けるようにしてもよい。
【００７０】
また、特に図示していないが、導光部材140のうち、回転リール40のリールテープ49面で挟まれる部分を他の部位に比べて、幅狭に形成することもできる。このようにすることで、隣接する回転リール40間の隙間をさらに小さくすることが可能となる。
また、各回転リール40毎に独立して点灯制御が可能な光源120を用いることにより、回転リール40毎に照明の色や点滅、点灯等のタイミングを制御することが可能となる。これにより、回転リール40毎に照明パターンを発生させることが可能となる。
本実施の形態では、光源用基板130とメイン基板とがケーブルにより配線されてある。この光源用基板130の光源120は主に回転中の回転リール40を前面側から明るく照らすためのものであるが、これに限定されるものではない。たとえば役抽選の結果や、現在の遊技状態に応じて、照明パターンや発光色を変化させるようにしてもよい。
なお、光源用基板130とサブ基板とをケーブルで配線するようにしてもよい。そのようにすることにより、サブ基板により制御される遊技状態、たとえばアシストタイム遊技（いわゆるＡＴゲーム）等の遊技状態であるか否かや、液晶パネル68に表示される表示内容や、スピーカー67から発生する効果音に応じて、光源120の発光態様を変化させることができる。
また、メイン基板に接続される光源用基板Ｍとサブ基板に接続される光源用基板Ｎとの両方を設けて、光源用基板Ｍにより点灯制御される光源と光源用基板Ｎにより点灯制御される光源との両方を設け、メイン基板及びサブ基板の両方により上述したような内容に応じて点灯を制御するようにしてもよい。
【００７１】
また、特に図示していないが上段と中段との間及び中断と下段との間に仕切り等を入れて分割した導光部材140と、その分割した導光部材140毎に設けられるとともにそれぞれが独立して点灯制御が可能な光源120とを設けてもよい。分割した領域毎に点灯状態等を制御することにより、上段、中断、下段毎に種々の照明パターンを形成することができる。また、特定のラインだけに光を照射させることができる。
また、リール裏面を照らすためのバックライトユニット320と、前面側照明装置100とを併用して、照らす範囲や点灯タイミングを異ならせるようにすることもできる。これにより、多くの照明パターンを形成することが可能となる。
また、図１０に示すように、本実施の形態では、光源120と導光部材140との間は、熱を拡散させるため隙間が設けてある。その隙間から光が漏れないように該隙間を覆うような所定形状のカバーを設けてもよい。
【００７２】
また、本実施の形態に係る傾斜面160では、その全域で均一な光透過性を有するものから形成されているが、特にこれに限定されるものではない。たとえば傾斜面160付近の導光部材140の光透過性を異ならせることで、リールテープ49の幅方向で明るさを変えることができる。具体的にはリールテープ49の幅方向のうち、傾斜面160のある側の縁部をより明るくすることもでき、また導光部材140から遠くの位置を照らす光の光量を多くしてリール幅に対して均一な明るさとすることもできる。
また、本実施の形態では、前面側照明装置100は各リールスタンド190及びリールマスクスタンド200の前面側に装着しているが、特にこれに限定されるものではなく、リールスタンド190やリールマスクスタンド200とは別に前面側照明装置100を固定するための専用の取付部材（照明取付専用スタンド）を設け、この取付部材を介してフレーム80に固定するようにしてもよい。
また、本実施の形態では導光部材140の前面は、その横断面形状が直線となるような面に形成されているが、特にこれに限定されるものではなく、導光部材140の前面は、その横断面形状が複数の折れ線からなる階段状のものでもよく、また、曲線からなるものでもよい。
【００７３】
（第２の実施の形態）
第１の実施の形態では、両照射導光部材151の前面の横断面形状は直線となるように形成されていた（図１０参照）。図１３に示すように、本実施の形態に係る両照射導光部材151の前面には、その横断面形状が両端から中央にかけて２段階に折れ曲がった反射傾斜部350が設けられている。この反射傾斜部350の前面側には、その表面の形状に沿って反射部材170が貼付されているものである。この反射傾斜部350には、その横断面形状の端部から中央側に向かって僅かな角度で傾斜した反射端部351と、この反射端部351の中央側から幅方向の中央まで前記反射端部351よりも大きな角度で傾斜した反射中央部352とが設けられている。このように、反射傾斜部350を２段階の角度で形成し、その表面に沿って反射部材170が貼付されていることにより、光源120からの光を左右の回転リール40の表面に効果的に集めることができ、リールテープ49の図柄をより明るく照らすことができる。本実施の形態は、その他の構成は第１の実施の形態と同様のものである。すなわち、本実施の形態に係る導光部材140には、側面に設けた傾斜面160の他に、前面（前端面）に別の傾斜面としての反射傾斜部350が形成されている。
【００７４】
図１３に示すように、左照射導光部材153の反射傾斜部350は、両照射導光部材151の前面から向かって左側の反射端部351及び反射中央部352のみが形成され、その表面に沿って反射部材170が貼付されている。これにより、光源120からの光を左照射導光部材153の左側の回転リール40（右回転リール43）の表面に効果的に集めることができ、リールテープ49の図柄をより明るく照らすことができる。
なお、特に図示していないが、同様に右照射導光部材152の前面側の反射傾斜部350は、両照射導光部材151の前面から向かって右側の反射端部351及び反射中央部352のみが形成され、その表面に沿って反射部材170が貼付されている。これにより、光源120からの光を右照射導光部材152の右側の回転リール40（左回転リール41）の表面に効果的に集めることができ、リールテープ49の図柄をより明るく照らすことができる。
【００７５】
（第３の実施の形態）
図１４に示すように、両照射導光部材151の前面に貼付されている反射部材170の一部には、両照射導光部材151からの光の一部を反射させずに前面側に向かって透過させる折れ線状の形状（稲妻を模した形状）からなる透光部171が設けられている。なお、反射部材170は、その透光部171以外の背面側には、光源120からの光を後方に反射する反射面が形成されている。この透光部171は、赤色の半透明の樹脂から形成され、背面側の光源120からの光によって前面側からは赤色に点灯しているように観察されるものである。なお、透光部171は、その色は赤色に限定されるものではなく他の色の半透明のものでもよい。また、透光部171は半透明とせずに透明のもので導光部材140からの光の一部を遮ることなく、全てを透過させるようにしてもよい。また、両照射導光部材151に貼付した反射部材170にだけ透光部171を設けているが、右照射導光部材152及び左照射導光部材153に貼付した反射部材170にも同様の透光部171を設けるようにしてもよい。本実施の形態は、上述した以外の構成は第１の実施の形態と同様のものである。
【００７６】
本実施の形態では、両照射導光部材151に貼付されている反射部材170の一部に赤色半透明の透光部171が設けられている。このため、光源120からの光がその導光部材140の内部を通って透光部171に到達すると、その光の少なくとも一部は反射せずに透光部171をそのまま透過し、反射部材170の前面側に進む。反射部材170の前面側から見ると反射部材170のうち透光部171の部分だけを赤色に発光させることができる。これにより、リールユニット60の前面側の外観を人の目を引く際だつものにすることが可能となる。
なお、透光部171を用いて、光源120の点灯状態を点灯、点滅、消灯等に変更して制御することにより、遊技状態や遊技情報を遊技者へ知らせる報知部として利用することもできる。
【００７７】
（第４の実施の形態）
第１の実施の形態に示すように傾斜面160が導光部材140の側面に設けられているのではなく、本実施の形態では、図１５に示すように、傾斜面160が導光部材140の前面側（前端面）に設けられている。そして、その傾斜面160の前面側には、光源120からの光を後方の回転リール40の外周面に向かって反射する反射部材170が貼付されている。本実施の形態の他の構成は第１の実施の形態と同様のものである。
【００７８】
この傾斜面160は、導光部材140の前面側の横断面形状が逆Ｖ字状となるように形成されている。正面から向かって右側（中心軸Ｓの右側）の傾斜面160は、反射導光部142の厚みｒ２が前面側に向かうに従って漸減するような形状に形成され、正面から向かって左側（中心軸Ｓの左側）の傾斜面160は、反射導光部142の厚みｒ１が前面側に向かうに従って漸減するような形状に形成されている。結果として、導光部材140の傾斜面160は、反射導光部142の厚みの合計Ｒ＝ｒ１＋ｒ２が前面側に向かうに従って漸減するものである。
本実施の形態に係る両照射導光部材151としての導光部材140により、回転リール40の外周面より内側の光源120からの光が当該導光部材140を介して回転リール40の前方に誘導されるとともに、この誘導された光が傾斜面160に貼付された反射部材170により後方へ反射されて隣接する回転リール40の前面に照射される。具体的には、正面から向かって右側の反射部材170及び傾斜面160により、右側の回転リール40の前面に光が照射される。また、正面から向かって左側の反射部材170及び傾斜面160により、左側の回転リール40の前面に光が照射される。
このように、傾斜面160を導光部材140の前面側（前端面）に設けたことで、導光部材140の左右の幅を一定の幅内に抑えることができる。これにより、隣接する回転リール40間の隙間を第１の実施の形態の導光部材140よりも小さくすることができ、リールユニット60のコンパクト化をさらに図ることができる。
なお、本実施の形態では、傾斜面160を導光部材140の前面側に逆Ｖ字状に設けたが、Ｖ字状に設けて、正面から向かって右側の傾斜面160が左側の回転リール40の前面を照らし、左側の傾斜面160が右側の回転リール40の前面を照らすようにしてもよい。
【００７９】
（導光部材140及び回転リール40の配置のバリエーション）
図１６（Ａ）〜（Ｊ）に示すように、本実施の形態に係る導光部材140の照明領域と、回転リール40との配置により種々のバリエーションがある。以下、具体的に説明する。
図１６（Ａ）の上部の記号Ｌ２、Ｌ３の位置に導光部材140が配置されてあり、図１６（Ａ）の下部のリール幅方向の括弧記号の範囲で示される領域及びＬ２等の記号が、当該記号の位置にある導光部材140により照射されるリール幅方向の範囲を示すものである。具体的には、図１６（Ａ）は、左回転リール41と中回転リール42との間の位置に配置された導光部材Ｌ２により、左回転リール41の幅方向の全範囲と、中回転リール42の幅方向の左半分とに光が照射されることを示すものである。また、中回転リール42と右回転リール43との間に配置された導光部材Ｌ３により、右回転リール43の幅方向の全範囲と中回転リール42の幅方向の右半分とに光が照射されることを示している。この導光部材Ｌ２、Ｌ３は左右に光を照射可能な傾斜面160を有している。具体的には、導光部材Ｌ２の左側の傾斜面160は、左回転リール41の全幅に光を照射可能な角度に形成され、導光部材Ｌ２の右側の傾斜面160は、中回転リール42の全幅のうち左半分に光を照射可能な角度に形成されている。また、導光部材Ｌ３の左側の傾斜面160は、中回転リール42の全幅のうち右半分に光を照射可能な角度に形成され、導光部材Ｌ３の右側の傾斜面160は、右回転リール43の全幅に光を照射可能な角度に形成されている。このように傾斜面160の傾斜角度が異なる導光部材140を使用することにより照射範囲が変更される。
【００８０】
なお、図１６の説明では、左回転リール41の左側の位置Ｌ１に配置された導光部材140を説明の便宜上「導光部材Ｌ１」とし、同様に、左回転リール41と中回転リール42との間の位置Ｌ２に配置された導光部材140を「導光部材Ｌ２」とし、中回転リール42と右回転リール43との間の位置Ｌ３に配置された導光部材140を「導光部材Ｌ３」とし、右回転リール43の右側の位置Ｌ４に配置された導光部材140を「導光部材Ｌ４」と記して説明する。
図１６（Ｂ）に示すように、導光部材Ｌ１より左回転リール41の全幅に光が照射され、導光部材Ｌ２により中回転リール42の全幅に光が照射され、導光部材Ｌ３により右回転リール43の全幅に光が照射されるようにしてもよい。この導光部材Ｌ１、Ｌ２、Ｌ３は右側に光を照射可能な傾斜面160を有している。
【００８１】
図１６（Ｃ）に示すように、導光部材Ｌ２により左回転リール41の全幅に光が照射され、導光部材Ｌ３により中回転リール42の全幅に光が照射され、導光部材Ｌ４により右回転リール43の全幅に光が照射されるようにしてもよい。この導光部材Ｌ１、Ｌ２、Ｌ３は左側に光を照射可能な傾斜面160を有している。
図１６（Ｄ）に示すように、導光部材Ｌ１、Ｌ２は図１６（Ｂ）と同一で、導光部材Ｌ４により、右回転リール43の全幅に光が照射されるようにしてもよい。導光部材Ｌ１、Ｌ２は右側に光を照射可能な傾斜面160を有し、導光部材Ｌ４は左側に光を照射可能な傾斜面160を有している。ここで、中回転リール42と右回転リール43との間には両者の隙間を塞ぐだけの部材（導光部材140及び光源120は無い）が配置されている。
【００８２】
図１６（Ｅ）に示すように、導光部材Ｌ１により左回転リール41の全幅に光が照射され、導光部材Ｌ２により中回転リール42の左半分だけに光が照射され、導光部材Ｌ３により中回転リール42の左半分と右回転リール43の全幅とに光が照射されるようにしてもよい。
図１６（Ｆ）に示すように、導光部材Ｌ２により左回転リール41の全幅と中回転リール42の左半分とに光が照射され、導光部材Ｌ３により中回転リール42の左半分に光が照射され、導光部材Ｌ４により右回転リール43の全幅に光が照射されるようにしてもよい。
図１６（Ｇ）に示すように、導光部材Ｌ１により左回転リール41の全幅に光が照射され、導光部材Ｌ３により中回転リール42の全幅に光が照射され、導光部材Ｌ４により右回転リール43の全幅に光が照射されるようにしてもよい。
【００８３】
図１６（Ｈ）に示すように、導光部材Ｌ１により左回転リール41の左半分に光が照射され、導光部材Ｌ２により左回転リール41の右半分と中回転リール42の左半分とに光が照射され、導光部材Ｌ３により中回転リール42の右半分と右回転リール43の左半分とに光が照射され、導光部材Ｌ４により右回転リール43の左半分に光が照射されるようにしてもよい。
図１６（Ｉ）に示すように、導光部材Ｌ１により左回転リール41の全幅に光が照射され、導光部材Ｌ２により中回転リール42の左半分に光が照射され、導光部材Ｌ３により中回転リール42の右半分に光が照射され、導光部材Ｌ４により右回転リール43の全幅に光が照射されるようにしてもよい。
【００８４】
図１６（Ｊ）に示すように、遊技状態が特定の状態Ｘのときに、導光部材Ｌ１により左回転リール41の全幅に光が照射され、導光部材Ｌ２により中回転リール42の全幅に光が照射され、導光部材Ｌ３は消灯し、導光部材Ｌ４により右回転リール43の全幅に光が照射される。さらに、遊技状態が前記特定の状態Ｘとは異なる他の状態Ｙのときに、導光部材Ｌ１により左回転リール41の全幅に光が照射され、導光部材Ｌ２は消灯し、導光部材Ｌ３により中回転リール42の全幅に光が照射され、導光部材Ｌ４により右回転リール43の全幅に光が照射されるようにしてもよい。すなわち、遊技状態がＸとＹとで変化すると、中回転リール42に光を照射する導光部材140が、導光部材Ｌ２と導光部材Ｌ３とに変化するものである。これにより、遊技者は、中回転リール42に対していずれの方向から光が照射されているかを判断することにより現在の遊技状態がＸであるか、Ｙであるかを判断することができるものである。なお、ここで、遊技状態ＸとＹとしては、たとえば遊技状態Ｘが役の抽選の結果がはずれである状態であり、遊技状態Ｙが所定の役に当選している状態であるようなものが想定される。
【００８５】
本実施の形態に係る前面側照明装置100は、上述したような複数個の回転リール40だけではなく、特に図示していないが該回転リール40以外にスロットマシンの横や上部に１個又は複数個、配置される演出用の演出用リールにも使用することができるものである。そのような演出用リールにおいても、その左側又は右側や、両側に上述したものと同様の導光部材140及び光源120を有する前面側照明装置100を設けることで同様の作用及び効果を奏することができる。また、この演出用リールにおいても、図１６（Ｊ）の中回転リール42の左右の導光部材Ｌ２及びＬ３のように、遊技状態の変化に伴って左右の導光部材140の点灯状態を変化させることにより、遊技者に遊技状態の変化を報知することができる。
上述した第１から第４の実施の形態のリールスタンド190の材質は、樹脂からなるものであったが材質は特にこれに限定されるものではない。本実施の形態では、リールスタンド190の前方側に導光部材140等を前方へ突出させるように設けているため、リールスタンド190の前方側に荷重が加わる構造となっている。このため、リールスタンド190の強度を高めて、各部材の取付状態を安定させるべく、金属板（薄板鋼板）をプレス加工する等して、リールスタンド190全体又はその一部を形成するようにしてもよい。
【００８６】
なお、本実施の形態に係る遊技機10としては、スロットマシンであったが、特にスロットマシンに限らず、上述したような導光部材140を有する前面側照明装置100をパチンコ機等の他の種類の遊技を行う遊技機10に使用することもできる。
【符号の説明】
【００８７】
5  電源装置                            10  遊技機
11  筐体                                12a  上パネル
12b  下パネル                          13  図柄表示窓
14  前扉                                16s  シングルベットスイッチ
16m  マックスベットスイッチ            17  精算スイッチ
18  メダル投入口                        19  操作部
30  スタートスイッチ                    32  メダル払い出し口
33  メダル受け皿                        40  回転リール
41  左回転リール                        42  中回転リール
43  右回転リール                        44  ハブ部
46  スポーク部                          48  リム部
49  リールテープ                        50  ストップスイッチ
60  リールユニット                      61  背面係止部
65  貯留払い出し手段                    66  報知手段
67  スピーカー                          68  液晶パネル
69  報知ランプ                          70  基板ケース
71  メイン基板ケース                    72  サブ基板ケース
80  フレーム                            90  モータ
100  前面側照明装置                    120  光源
130  光源用基板                        140  導光部材
141  本体導光部                        142  反射導光部
143  ねじ孔                            151  両照射導光部材
152  右照射導光部材                    153  左照射導光部材
160  傾斜面                            170  反射部材
171  透光部                            180  リール組立体
182  左リール組立体                    184  中リール組立体
186  右リール組立体                    190  リールスタンド
191  左リールスタンド                  192  中リールスタンド
193  右リールスタンド                  194  上差込部
195  下差込部                          196  取付部
197  配線用筒部                        198  取付ねじ
199  モータ固定部                      200  リールマスクスタンド
210  光源固定部                        220  支持アーム部
222  貫通孔                            224  固定ねじ
230  センサ固定部                      310  インデックスセンサユニット
320  バックライトユニット              350  反射傾斜部
351  反射端部                          352  反射中央部
【図１】
0005470591.tif 000002
【図２】
0005470591.tif 000003
【図３】
0005470591.tif 000004
【図４】
0005470591.tif 000005
【図５】
0005470591.tif 000006
【図６】
0005470591.tif 000007
【図７】
0005470591.tif 000008
【図８】
0005470591.tif 000009
【図９】
0005470591.tif 000010
【図１０】
0005470591.tif 000011
【図１１】
0005470591.tif 000012
【図１２】
0005470591.tif 000013
【図１３】
0005470591.tif 000014
【図１４】
0005470591.tif 000015
【図１５】
0005470591.tif 000016
【図１６】
0005470591.tif 000017